(57)【特許請求の範囲】
【請求項１】
額縁状の枠体（３）を設け、前記枠体（３）に嵌入自在な遮音用薄板（２）を設け、前記薄板（２）を前記枠体（３）との間に厚み方向に沿って挟持固定する押付部材（４）を設け、前記押付部材（４）を、前記枠体（３）に嵌入させた状態の前記薄板（２）の面方向に沿って接当させて固定可能な固定部（５）を、前記枠体（３）に設け、前記押付部材（４）を前記固定部（５）に近接させるに伴って、前記枠体（３）に嵌入させた状態の前記薄板（２）へ前記押付部材（４）を近接誘導自在な誘導斜面（Ｙ）を、前記枠体（３）と前記押付部材（４）との接当面に設け、前記押付部材（４）を前記固定部（５）に近接させて取り付けるネジ部材（７）を設けてある遮音板であって、
前記ネジ部材（７）を、前記誘導斜面（Ｙ）の傾斜方向に沿って配置してある遮音板。
【発明の詳細な説明】
【０００１】
【発明の属する技術分野】
本発明は、額縁状の枠体を設け、前記枠体に嵌入自在な遮音用薄板を設け、前記薄板を前記枠体との間に厚み方向に沿って挟持固定する押付部材を設け、前記押付部材を、前記枠体に嵌入させた状態の前記薄板の面方向に沿って接当させて固定可能な固定部を、前記枠体に設け、前記押付部材を前記固定部に近接させるに伴って、前記枠体に嵌入させた状態の前記薄板へ前記押付部材を近接誘導自在な誘導斜面を、前記枠体と前記押付部材との接当面に設け、前記押付部材を前記固定部に近接させて取り付けるネジ部材を設けてある遮音板に関する。
【０００２】
【従来の技術】
従来、この種の遮音板としては、図５の側面視断面図に示すように、前記ネジ部材２０を、薄板２の面方向に沿って配置してあるものがあった。即ち、前記誘導斜面２１の傾斜方向と前記ネジ部材２０の軸芯方向が交わる状態に、前記ネジ部材２０を配置してあるものであり、前記ネジ部材２０を締め付けて前記押付部材２２を前記固定部２３に近接させるに伴って、前記誘導斜面２１で押付部材２２を薄板２側に誘導して挟持固定できるようにしてあるものであった（特開平７−１８６３２号参照）。
【０００３】
【発明が解決しようとする課題】
上述した従来の遮音板によれば、前記ネジ部材２０の螺進方向と、前記誘導斜面２１の傾斜方向とが交わる状態に形成してあるから、図５に示すように、前記ネジ部材２０の螺進に伴う押付部材２２の移動方向は、前記ネジ部材２０の軸芯方向に交わることになる。そして、前記ネジ部材２０の締付けによって、押付部材２２は誘導斜面２１に押しつけられながら傾斜方向に誘導され、前記薄板２を枠体２４との間に挟持するわけであが、その際、前記押付部材２２と誘導斜面２１との接当部、及び、押付部材２２とネジ部材２０拡径頭部との接当部には、強い摩擦力が作用することになり、それに伴って、前記ネジ部材２０の螺進操作に、余分な力が必要となり、スムースに操作し難いという問題点がある。
更には、前記押付部材２２が前記薄板２側へ移動するのを前記ネジ部材２０で干渉しないようにするためには、押付部材２２のネジ部材貫通用の貫通穴を、前記薄板の挟持方向（厚み方向）に沿って長穴形状に形成する必要性があり、加工手間がかかる上に、部材強度の低下の原因になりなりかねない。
【０００４】
従って、本発明の目的は、上記問題点を解消し、部材の加工に余分な手間がかからず、且つ、ネジ部材をスムースに締め付け操作できる遮音板をを提供するところにある。
【０００５】
【課題を解決するための手段】
〔構成〕
本発明の特徴構成は、枠体の固定部に対して遮音用薄板を厚み方向に沿って挟持固定する押付部材を取り付けるためのネジ部材を、前記押付部材を前記固定部に近接させるに伴って前記薄板へ前記押付部材を近接誘導自在な状態に前記枠体と前記押付部材との接当面に設けてある誘導斜面の傾斜方向に沿って配置してあるところにある。
【０００６】
〔作用及び効果〕
本発明の特徴構成によれば、前記ネジ部材を、前記枠体と前記押付部材との接当面に設けてある誘導斜面の傾斜方向に沿って配置してあるから、ネジ部材の螺進操作に伴って、前記押付部材は、そのネジ部材の軸芯方向と同じ前記誘導斜面の傾斜方向に沿って移動することになり、その際に、枠体と押付部材との接当面に余分な摩擦力が作用することを防止することが可能となる。従って、薄板の挟持操作に伴う、前記ネジ部材の螺進作業を、必要最小限の操作力で実施することが可能となり、スムースに螺進操作を行えるようになって、遮音板組立作業効率を向上させることができる。
また、ネジ部材は、先端部に比べて頭部側ほど前記薄板から遠ざかる方向に配置されることになり、例えば、ドライバーやレンチ等の締付け操作具を、ネジ部材に嵌合させたり、締付け操作するのに、前記薄板が干渉し難く、押付部材の取付作業性を向上させることが可能となる。
更には、前記ネジ部材の螺進操作をスムースに実施できることによって、前記薄板の挟持力を、前記ネジ部材の締付け度合いを容易に調整することが可能となり、例えば、締め付けすぎによる薄板の損傷や、締め足りないことによる薄板の脱落等を未然に防止しやすくなる。
【０００７】
また、押付部材のネジ部材貫通用の貫通穴を、従来のように長穴形状にする必要が無くなり、製作手間を軽減させることも可能となる。
【０００８】
【発明の実施の形態】
以下に本発明の実施の形態を図面に基づいて説明する。尚、図面において従来例と同一の符号で表示した部分は、同一又は相当の部分を示している。
【０００９】
図１は、高速道路の側辺に立設してある遮音壁Ｗを示している。
この遮音壁Ｗは、道路の長手方向に沿って間隔をあけて且つ隣接する溝部Ｍが互いに対向する姿勢に立設してあるＨ型鋼製の複数の遮音板取付用支柱（以後、単に支柱という）１間に、複数の遮音板Ｐを上下に積み重ねた状態に嵌め入れて構成してある。
【００１０】
前記遮音板Ｐは、遮音用薄板（以後、単に薄板という）２を設け、前記薄板２を支持する額縁状の枠体３を設け、前記枠体３との間に前記薄板２を挟持固定するための押縁（押付部材の一例）４を設けて構成してある。
【００１１】
前記薄板２は、ポリカーボネイト製の可撓性透光板で形成してあり、前記枠体３の枠組内に保持される。従って、通行車両からの視界を確保しながら遮音を叶えることができるものである。
【００１２】
前記枠体３は、アルミニウムによって形成してあり、図２及び図３に示すように、枠組内方側に段部を設けた中空の角柱からなる上フレーム３Ａ及び下フレーム３Ｂ及び一対の側フレーム３Ｃによって構成してある。尚、遮音板Ｐの大きさや、遮音板に対する設計応力によって、前記各フレーム３Ａ，３Ｂ，３Ｃの他に、前記一対の側フレーム３Ｃ間に前記上下のフレーム３Ａ，３Ｂにわたる中フレームを設けることもある。
前記各フレーム３Ａ，３Ｂ，３Ｃには、前記枠組内に配置した薄板２を厚み方向に沿って押し付けて固定する前記押縁４を取り付けるための固定部５を各別に設けてあると共に、前記押縁４との間に前記薄板２を挟持自在な支持部６が設けてある。前記固定部５には、前記押縁４の取付面に設けた凹部４ａが嵌合自在な凸部５ａを長手方向にわたって設けてあると共に、前記押縁取付用のネジ部材７を螺合自在な雌ねじ部５ｂを設けてある。
尚、前記上フレーム３Ａの上端部、及び、下フレーム３Ｂの下端部には、上下に隣接する他の遮音板との嵌合部８を設けてあり、前記遮音板取付支柱１間に上下に嵌入した遮音板Ｐどうしの結合が、より強力なものとなるように形成してある。
【００１３】
前記押縁４は、前記各フレーム３Ａ，３Ｂ，３Ｃに各別に対応する上押縁４Ａと、下押縁４Ｂと、一対の側押縁４Ｃとからなり、それぞれ、前記枠体３の雌ねじ部５ｂにネジ止めできるように構成してある（図２参照）。
また、上押縁４Ａには、予め、前記薄板２の上縁部をボルト止めして一体化してあり、枠体３への薄板２の着脱時に、不用意に薄板２が撓むのを阻止できて、取扱性が向上するように構成してある。一方、下押縁４Ｂ、及び、一対の側押縁４Ｃは、前記固定部５に前記ネジ部材７でネジ止めすることによって、薄板２の縁部を前記支持部６との間で挟持することができる。
また、上下両押縁４Ａ，４Ｂの、前記固定部５に対向する部分には、前記上下両フレーム３Ａ，３Ｂの前記凸部５ａに嵌合自在な凹部４ａを形成してある。そして、この凹部４ａと、前記凸部５ａとの接当面に、前記ネジ部材７を螺進することによって前記押縁４を前記固定部５に近接させるに伴って、前記薄板２へ前記押縁４を近接誘導させる誘導斜面Ｙをそれぞれ形成してある。
また、前記ネジ部材７は、その軸芯方向がこの誘導斜面Ｙの傾斜方向に沿うように設けてあり、図３に示すように、前記ネジ部材７を締付け操作することによって、両誘導斜面Ｙどうしが接当しながら押縁４を誘導斜面の傾斜方向で枠体３に近接させて、枠体３の支持部６との間に薄板２を挟み込む状態に支持することができる（図４参照）。
但し、この挟持機構においては、前記薄板２に大きな外力が作用した場合には、挟持部分から薄板２が抜け出ることを許容できるから、その外力による衝撃をかわして、薄板２の損傷を最小限にくい止めることができる。
【００１４】
〔別実施形態〕
〈１〉  前記遮音用薄板２は、先の実施形態で説明したポリカーボネイト製の薄板に限るものではなく、他の樹脂や金属製のものや、繊維補強板やガラス板等であってもよく、更には、透光性を有してないものであってもよい。
〈２〉  前記誘導斜面Ｙは、先の実施形態で説明したように、枠体３に形成した前記凸部５ａと、押縁４に形成した前記凹部４ａとに設けてあるものに限定されるものではなく、例えば、枠体３に前記凹部を形成すると共に、その凹部に対応する凸部を押縁４に形成し、それらの凹部や凸部に誘導斜面Ｙを形成するものであってもよい。
【００１５】
尚、特許請求の範囲の項に、図面との対照を便利にするために符号を記すが、該記入により本発明は添付図面の構成に限定されるものではない。
【図面の簡単な説明】
【図１】遮音壁を示す斜視図
【図２】遮音板を示す分解斜視図
【図３】遮音板の断面図
【図４】遮音板の要部断面図
【図５】従来の遮音板を示す断面図
【符号の説明】
２    薄板
３    枠体
４    押付部材
５    固定部
７    ネジ部材
Ｙ    誘導斜面
【図１】
0003615851.tif 000002
【図２】
0003615851.tif 000003
【図３】
0003615851.tif 000004
【図４】
0003615851.tif 000005
【図５】
0003615851.tif 000006